(57)【要約】【課題】  従来のタッチパネルを有する操作入力部材を有するカメラにおいて、タッチパネルの操作受付範囲が広いので誤操作がおきるという不十分な点を有していた。  本発明では、操作受付範囲の限定手段を新たに設けることによって、カメラの誤操作が発生しないカメラを提供する。【解決手段】  本発明のカメラは、  操作されたスイッチのモードを判別、接眼状態の検出、グリップの装着有無を検出し、その結果にて、タッチパネルの受け付け領域を制御する。【選択図】  図９
2009086601.tif 000002
【特許請求の範囲】
【請求項１】
タッチパネルにて、カメラに対する設定入力部材を有し、カメラに対する操作部材のモードの判別手段（撮影、再生）を有し、この判別結果にて、タッチパネルの操作の受け付け領域を制御することを特徴とするカメラ。
【請求項２】
タッチパネルにて、カメラに対する設定入力部材を有し、カメラへの接眼検出手段を有し、この判別結果にて、タッチパネルの操作の受け付け領域を制御することを特徴とするカメラ。
【請求項３】
タッチパネルにて、カメラに対する設定入力部材を有し、カメラへの接眼検出手段を有し、この判別結果、および、縦位置グリップの装着判別結果にて、タッチパネルの操作の受け付け領域を制御することを特徴とするカメラ。
【発明の詳細な説明】
【技術分野】
【０００１】
本発明は、カメラ、デジタルスチルカメラ等の撮像装置に関し、その撮像装置に対する種種の撮影条件の設定,動作制御の条件設定をするときの設定方法に関する。
【背景技術】
【０００２】
カメラ及びデジタルスチルカメラにおける撮影条件の設定装置としては種種のものが提案されている。操作部材としては、種種の釦による操作部材とともに近年は、タッチパネル風な2次元の入力手段をもつものが知られている。これはカメラ背面の液晶表示部材の表面に透明のタッチパネルを構成し、表示画面を見ながらタッチパネルに対して、指で触れることにより、入力部材としている。
【０００３】
例えば、次の先行技術においては、（特許文献１）タッチパネルでの操作において、座標入力の軌跡に基づいた簡単な動作で、デジタルカメラの機能を操作できるデジタルカメラを提供することが提案されている。
【特許文献１】特開2002-281365号公報
【発明の開示】
【発明が解決しようとする課題】
【０００４】
一般的にカメラに搭載したタッチパネルに対する操作としては、カメラを保持しながら撮影条件等の設定を行う必要がある。このとき、パネル上の操作受付領域が広いとカメラに対する種種の使用上の指の接触により誤動作の源となりやすい。
【０００５】
そこで、本発明は、タッチパネルが用いられるカメラにおいて、種種のカメラの入力使用条件においても誤操作の少ない入力装置を提供することを目的とする。
【課題を解決するための手段】
【０００６】
上記目的を達成するために、本発明のカメラは、
カメラに操作された操作入力の撮影モードに対する操作か、表示系の操作かの判別手段にてタッチパネルの入力受付領域を変更することを特徴とする。
【０００７】
また、カメラに内蔵されたカメラの姿勢状態を検出し、その姿勢状態に応じてタッチパネルへの入力操作受付範囲を変更することを特徴とする。
【０００８】
また、カメラに縦位置撮影用のグリップが装着されたかいなかの判別手段にて
タッチパネルの入力受付領域を変更することを特徴とする。
【発明の効果】
【０００９】
本発明によれば、カメラへの誤操作を防止した入力装置を提供することができる。
【発明を実施するための最良の形態】
【００１０】
以下、図面を参照して本発明による好適な実施の形態を説明する。
【００１１】
図１は、本発明の実施例の構成を示す図である。
【００１２】
図１において、１００はカメラである。
【００１３】
１２は撮像素子１４への露光量を制御するためのシャッター、１４は光学像を電気信号に変換する撮像素子である。
【００１４】
撮影レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００１５】
１６は撮像素子１４のアナログ信号出力をディジタル信号に変換するＡ／Ｄ変換器である。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、必要に応じて、撮像した画像データを用いて所定の演算処理を行い、得られた演算結果に基づいてシステム制御回路５０が測光制御手段４６、測距制御手段４２に対して制御を行う、TTL（スルー・ザ・レンズ）方式のAF（オートフォーカス）処理、AE（自動露出）処理、ＥＦ（フラッシュ調光）処理を行うことが出来る。
【００１８】
さらに、画像処理回路２０においては、撮像した画像データを用いて所定の演算処理を行い、得られた演算結果に基づいてTTL方式のAWB（オートホワイトバランス）処理も行っている。
【００１９】
なお、本実施例においては、測距手段４２及び測光手段４６を専用に備える構成としたため、測距手段４２及び測光手段４６を用いてAF（オートフォーカス）処理、AE（自動露出）処理、ＥＦ（フラッシュ調光）処理の各処理を行い、上記画像処理回路２０を用いたAF（オートフォーカス）処理、AE（自動露出）処理、ＥＦ（フラッシュ調光）処理の各処理を行わない構成としても良い。
【００２０】
あるいは、測距手段４２及び測光手段４６を用いてAF（オートフォーカス）処理、AE（自動露出）処理、ＥＦ（フラッシュ調光）処理の各処理を行い、さらに、上記画像処理回路２０を用いたAF（オートフォーカス）処理、AE（自動露出）処理、ＥＦ（フラッシュ調光）処理の各処理を行う構成としても良い。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、メモリ３０に書き込まれる。
【００２３】
２４はTFT LCD等から成る画像表示部であり、メモリ３０に書き込まれた表示用の画像データは、画像表示部２４に表示される。
【００２４】
画像表示部２４を用いて撮像した画像データを逐次表示すれば、電子ファインダー機能を実現することが可能である。
【００２５】
また、画像表示部２４は、システム制御回路５０の指示により任意に表示をON/OFFすることが可能であり、表示をOFFにした場合にはカメラ１００の電力消費を大幅に低減することが出来る。
【００２６】
画像表示部２４の表面は図５の４に相当する。
【００２７】
この画像表示においては、より細かいカメラへの設定ができるようにMENU画面が用意されている。
【００２８】
３０は撮影した静止画像や表示用の画像、動画像を格納するためのメモリであり、所定枚数の静止画像や所定時間の動画像を格納するのに十分な記憶量を備えている。
【００２９】
これにより、複数枚の静止画像を連続して撮影する連写撮影やパノラマ撮影の場合にも、高速かつ大量の画像書き込みをメモリ３０に対して行うことが可能となる。
【００３０】
また、メモリ３０はシステム制御回路５０の作業領域としても使用することが可能である。
【００３１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３２】
４０は測光手段４６からの測光情報に基づいて、絞り３１２を制御する絞り制御手段３４０と連携しながら、シャッター１２を制御するシャッター制御手段である。
【００３３】
４２はAF（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００３４】
４６はAE（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００３５】
また、測光手段４６は、フラッシュ４８と連携することによりEF（フラッシュ調光）処理機能も有するものである。
【００３６】
４８はフラッシュであり、AF補助光の投光機能、フラッシュ調光機能も有する。
【００３７】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオTTL方式を用いて露出制御及びAF（オートフォーカス）制御をすることも可能である。
【００３８】
さらに、測距手段４２による測定結果と、撮像素子１４によって撮像した画像データを画像処理回路２０によって演算した演算結果とを共に用いてAF（オートフォーカス）制御を行っても構わない。
【００３９】
そして、測光手段４６による測定結果と、撮像素子１４によって撮像した画像データを画像処理回路２０によって演算した演算結果とを共に用いて露出制御を行っても構わない。
【００４０】
５０はカメラ１００全体を制御するシステム制御回路、５２はシステム制御回路５０の動作用の定数、変数、プログラム等を記憶するメモリである。
【００４１】
５４はシステム制御回路５０でのプログラムの実行に応じて、文字、画像、音声等を用いて動作状態やメッセージ等を表示する液晶表示装置、スピーカー等の表示部であり、カメラ１００の操作部近辺の視認し易い位置に単数或いは複数個所設置され、例えばLCDやLED、発音素子等の組み合わせにより構成されている。
【００４２】
また、表示部５４は、その一部の機能が光学ファインダー１０４内に設置されている。
【００４３】
表示部５４の表示内容のうち、LCD等に表示するものとしては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信I/F動作表示、日付け・時刻表示、外部コンピュータとの接続状態を示す表示、等がある。
【００４４】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００４５】
さらに、表示部５４の表示内容のうち、LED等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４６】
そして、表示部５４の表示内容のうち、ランプ等に表示するものとしては、例えば、セルフタイマー通知ランプ、等がある。このセルフタイマー通知ランプは、AF補助光と共用して用いても良い。
【００４７】
５６は電気的に消去・記録可能な不揮発性メモリであり、例えばEEPROM等が用いられる。
【００４８】
１５０は、図５に示すようにカメラ１００の光学ファインダー１０４の近傍に配置され、撮影者がファインダーを除くために顔を近付けた事を検知する接眼検知手段である。これは図5中、７で示される。接眼検知手段１５０の構成としては、例えば、赤外光を投光し、撮影者の目や顔で反射した反射光を検出することによって接眼状態を検出する機構や超音波を放射し、撮影者の目や顔で反射した反射波を検出する機構、感圧素子による検出機構などである。
【００４９】
６０、６２、６４、６６及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５０】
ここで、これらの操作手段の具体的な説明を行う。
【００５１】
６０はモードダイヤルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００５２】
６２はシャッタースイッチSW1で、図５中の８で示され、シャッターボタンの操作途中でONとなり、AF（オートフォーカス）処理、AE（自動露出）処理、AWB（オートホワイトバランス）処理、ＥＦ（フラッシュ調光）処理等の動作開始を指示する。
【００５３】
６４はシャッタースイッチSW2で、シャッターボタンの全押し状態でONとなり、露光の実施、および撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５４】
６６は再生スイッチで、図5中の  ３で示される。撮影モード状態において、撮影した画像をメモリ３０或いは記録媒体２００或いは２１０から読み出して画像表示部２４によって表示する再生動作の開始を指示する。
【００５５】
７０はタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン、画像表示部２４のON/OFFを設定する画像表示ON/OFFスイッチ、撮影直後に撮影した画像データを自動再生するクイックレビュー機能を設定するクイックレビューON/OFFスイッチ、JPEG圧縮の圧縮率を選択するため或いは撮像素子の信号をそのままディジタル化して記録媒体に記録するRAWモードを選択するためのスイッチである圧縮モードスイッチ、再生モード、マルチ画面再生・消去モード、PC接続モード等の各機能モードを設定することが出来る再生スイッチ、シャッタースイッチSW1を押したならばオートフォーカス動作を開始し一旦合焦したならばその合焦状態を保ち続けるワンショットAFモードとシャッタースイッチSW1を押している間は連続してオートフォーカス動作を続けるサーボAFモードとを設定することが出来るAFモード設定スイッチ等がある。
【００５６】
タッチパネルの操作部としては、指の操作受付を例えば、図７のごとく、矢印方向への指操作が行われたときには、撮影モードにいるときは、測距点の上下左右に変更する機能となり、MENU表示モードにいるときは、MENU画面の操作に使用される
また、このタッチパネルの指操作としては、図8に見られるように、指の円を描くようなそうさにより、ダイアル風な入力操作もできる。これは撮影モードにおいては、露出補正に使用される。また、MENU表示モードにいるときは、MENU画面中の値の数値の変更に用いられる。例えばホワイトバランスの設定における色温度値の数値入力に使用される。
【００５７】
７２は電源スイッチで、カメラ１００の電源オン、電源オフの各モードを切り替え設定することが出来る。また、カメラ１００に接続されたレンズユニット３００、外部ストロボ、記録媒体２００、２１０等の各種付属装置の電源オン、電源オフの設定も合わせて切り替え設定することが出来る。
【００５８】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５９】
８２、８４はコネクタ、８６はアルカリ電池やリチウム電池等の一次電池やNiCd電池やNiMH電池、Li電池等の二次電池、ACアダプター等からなる電源手段である。
【００６０】
９０はメモリカードやハードディスク等の記録媒体とのインタフェース、９２はメモリカードやハードディスク等の記録媒体と接続を行うコネクタである。
【００６１】
なお、本実施例では記録媒体を取り付けるインターフェース及びコネクタを１系統持つものとして説明している。もちろん、記録媒体を取り付けるインターフェース及びコネクタは、複数の系統数を備える構成としても構わない。また、異なる規格のインターフェース及びコネクタを組み合わせて備える構成としても構わない。
【００６２】
インターフェース及びコネクタとしては、PCMCIAカード等の規格に準拠したものを用いて構成して構わない。
【００６３】
さらに、インタフェース９０、そしてコネクタ９２をPCMCIAカード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００６４】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２４による電子ファインダー機能を使用すること無しに、光学ファインダ１０４のみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６５】
１１０は通信手段で、RS232CやUSB、IEEE1394、P1284、SCSI、モデム、LAN、無線通信、等の各種通信機能を有する。
【００６６】
１１２は通信手段１１０によりカメラ１００を他の機器と接続するコネクタ或いは無線通信の場合はアンテナである。
【００６７】
１２０は、レンズマウント１０６内において、カメラ１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００６８】
コネクタ１２２は、カメラ１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００６９】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００７０】
２００はメモリカードやハードディスク等の記録媒体である。
【００７１】
記録媒体２００は、半導体メモリや磁気ディスク等から構成される記録部２０２、カメラ１００とのインタフェース２０４、カメラ１００と接続を行うコネクタ２０６を備えている。
【００７２】
３００は交換レンズタイプのレンズユニットである。
【００７３】
３０６は、レンズユニット３００をカメラ１００と機械的に結合するレンズマウントである。レンズマウント３０６内には、レンズユニット３００をカメラ１００と電気的に接続する各種機能が含まれている。
【００７４】
３１０は撮影レンズ、３１２は絞りである。
【００７５】
３２０は、レンズマウント３０６内において、レンズユニット３００をカメラ１００と接続するためのインタフェース、３２２はレンズユニット３００をカメラ１００と電気的に接続するコネクタである。
【００７６】
コネクタ３２２は、カメラ１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００７７】
３４０は測光手段４６からの測光情報に基づいて、シャッター１２を制御するシャッター制御手段４０と連携しながら、絞り３１２を制御する絞り制御手段である。
【００７８】
３４２は撮影レンズ３１０のフォーカシングを制御する測距制御手段、３４４は撮影レンズ３１０のズーミングを制御するズーム制御手段である。
【００７９】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００８０】
図５の説明
図５はカメラの背面を示している
図５中
１はカメラ本体を示し、２はカメラ本体へ接続される縦位置撮影用のグリップである
３は、再生釦（PLAY）であり、撮影した画像を再生する
４は  画像表示部の表面を示している
５は、MENU釦である。４の画面においてMENU設定モードへ飛び込ませるための釦である
６、は接眼ファインダー部を示す
７は接眼検出回路を示す。この図において例えば、左側の黒丸部より赤外光が投光され、右部の黒丸部に受光センサが存在している。
【００８１】
８．シャッタSW（スイッチ）である
９は測距点選択モードへ入るための釦であり、本釦の押印後、測距点選択モードへ入り、タッチパネルへの操作で、実際の測距点を選択する
１０は  AEロック釦である
１１は、タッチパネルを示している
１２は、縦位置グリップに設けられた、測距点選択モード釦
１３は、縦位置グリップに設けられた、AEロック釦
１４は、縦位置撮影用の  シャッタ釦である
図２乃至図５を参照して、本発明の実施例の動作を説明する。
【００８２】
図２は本発明の実施例のカメラ１００の主ルーチンのフローチャートを示す。
【００８３】
図２を用いて、カメラ１００の動作を説明する。
【００８４】
電池交換等の電源投入により、システム制御回路５０はフラグや制御変数等を初期化し、カメラ１００の各部において必要な所定の初期設定を行う（Ｓ１０１）。
【００８５】
システム制御回路５０は、電源スイッチ７２の設定位置を判断し、電源スイッチ７２が電源OFFに設定されていたならば（Ｓ１０２）、各表示部の表示を終了状態に変更し、フラグや制御変数等を含む必要なパラメータや設定値、設定モードを不揮発性メモリ５６に記録し、電源制御手段８０により画像表示部２４を含むカメラ１００各部の不要な電源を遮断する等の所定の終了処理を行った後（Ｓ１０３）、ENDへいたる。
【００８６】
電源スイッチ７２が電源ONに設定されていたならば（Ｓ１０２）、システム制御回路５０は、電源制御手段８０により電池等により構成される電源８６の残容量や動作情況がカメラ１００の動作に問題があるか否かを判断し（Ｓ１０４）、問題があるならば表示部５４を用いて画像や音声により所定の警告表示を行った後に（Ｓ１０５）、ENDへいたる。
【００８７】
電源８６に問題が無いならば（Ｓ１０４）、システム制御回路５０は、
S106にてSW入力処理,設定、表示を行う。
【００８８】
システム制御回路５０は、表示部５４を用いて画像や音声によりカメラ１００の各種設定状態の表示を行う。なお、画像表示部２４の画像表示がONであったならば、画像表示部２４も用いて画像や音声によりカメラ１００の各種設定状態の表示を行う。
【００８９】
シャッタースイッチSW1が押されていないならば（Ｓ１２１）、Ｓ１０６に戻る。
【００９０】
シャッタースイッチSW1が押されたならば（Ｓ１２１）、システム制御回路５０は、測距処理を行って撮影レンズ３００の焦点を被写体に合わせ、測光処理を行って絞り値及びシャッター時間を決定する、測距・測光処理を行い（Ｓ１２２）、Ｓ１２３に進む。測光処理に於いて、必要であればフラッシュの設定も行う。
【００９１】
この測距・測光処理Ｓ１２２の詳細は図３を用いて後述する。
【００９２】
シャッタースイッチSW2が押されていないならば（Ｓ１２３）、S121へ戻る。
【００９３】
シャッタースイッチSW2が押されたならば（S１２３）、システム制御回路５０は、撮影した画像データを記憶可能な画像記憶バッファ領域がメモリ３０にあるかどうかを判断し（Ｓ１２５）、メモリ３０の画像記憶バッファ領域内に新たな画像データを記憶可能な領域が無いならば、表示部５４を用いて画像や音声により所定の警告表示を行った後に（Ｓ１２６）、ENDへいたる。
【００９４】
例えば、メモリ３０の画像記憶バッファ領域内に記憶可能な最大枚数の連写撮影を行った直後で、メモリ３０から読み出して記憶媒体２００或いは２１０に書き込むべき最初の画像がまだ記録媒体２００或いは２１０に未記録な状態であり、まだ1枚の空き領域もメモリ３０の画像記憶バッファ領域上に確保出来ない状態である場合等が、この状態の一例である。
【００９５】
なお、撮影した画像データを圧縮処理してからメモリ３０の画像記憶バッファ領域に記憶する場合は、圧縮した後の画像データ量が圧縮モードの設定に応じて異なることを考慮して、記憶可能な領域がメモリ３０の画像記憶バッファ領域上にあるかどうかをＳ１２５において判断することになる。
【００９６】
メモリ３０に撮影した画像データを記憶可能な画像記憶バッファ領域があるならば（Ｓ１２５）、システム制御回路５０は、撮像して所定時間蓄積した撮像信号を撮像素子１２から読み出して、Ａ／Ｄ変換器１６、画像処理回路２０、メモリ制御回路２２を介して、或いはＡ／Ｄ変換器から直接メモリ制御回路２２を介して、メモリ３０の所定領域に撮影した画像データを書き込む撮影処理を実行する（Ｓ１２７）。
【００９７】
この撮影処理Ｓ１２７の詳細は図５を用いて後述する。
【００９８】
撮影処理Ｓ１２７を終えたならば、システム制御回路５０は、メモリ３０の所定領域へ書き込まれた画像データの一部をメモリ制御回路２２を介して読み出して、現像処理を行うために必要なWB（ホワイトバランス）積分演算処理、OB（オプティカルブラック）積分演算処理を行い、演算結果をシステム制御回路５０の内部メモリ或いはメモリ５２に記憶する。
【００９９】
そして、システム制御回路５０は、メモリ制御回路２２そして必要に応じて画像処理回路２０を用いて、メモリ３０の所定領域に書き込まれた撮影画像データを読み出して、システム制御回路５０の内部メモリ或いはメモリ５２に記憶した演算結果を用いて、AWB（オートホワイトバランス）処理、ガンマ変換処理、色変換処理を含む各種現像処理を行う（Ｓ１２８）。
【０１００】
そして、システム制御回路５０は、メモリ３０の所定領域に書き込まれた画像データを読み出して、設定したモードに応じた画像圧縮処理を圧縮・伸長回路３２により行い（Ｓ１２９）、メモリ３０の画像記憶バッファ領域の空き画像部分に、撮影して一連の処理を終えた画像データの書き込みを行う。
【０１０１】
一連の撮影の実行に伴い、システム制御回路５０は、メモリ３０の画像記憶バッファ領域に記憶した画像データを読み出して、インタフェース９０、コネクタ９２を介して、メモリカード等の記録媒体２００へ書き込みを行う記録処理を開始する（Ｓ１３０）。
【０１０２】
この記録開始処理は、メモリ３０の画像記憶バッファ領域の空き画像部分に、撮影して一連の処理を終えた画像データの書き込みが新たに行われる度に、その画像データに対して実行される。
【０１０３】
なお、記録媒体２００へ画像データの書き込みを行っている間、書き込み動作中であることを明示するために、表示部５４において例えばLEDを点滅させる等の記録媒体書き込み動作表示を行う。なお、画像表示部２４の画像表示がONであったならば、画像表示部２４を用いて画像や音声により書き込み動作の表示を行っても良い。
【０１０４】
システム制御回路５０は、記録媒体２００へ書き込みを行う記録処理が終了したならば、Ｓ102に戻り、電源スイッチ７２の設定位置を判断する
図３は、図２のＳ１２２における測距・測光処理の詳細なフローチャートを示す。
【０１０５】
なお、測距・測光処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１０６】
システム制御回路５０は、撮像素子１４測距手段４２及び測距制御手段３４２を用いて、AF（オートフォーカス）処理を開始する（Ｓ２０１）。
【０１０７】
システム制御回路５０は、レンズ３１０に入射した光線を、絞り３１２、レンズマウント３０６及び１０６、ミラー１３０、不図示の測距用サブミラーを介して、測距手段４２に入射させることにより、光学像として結像された画像の合焦状態を判断し、測距（AF）が合焦と判断されるまで（Ｓ２０３）、測距制御手段３４２を用いてレンズ３１０を駆動しながら、測距手段４２を用いて合焦状態を検出するAF制御を実行する（Ｓ２０２）。
【０１０８】
測距（AF）が合焦と判断したならば（Ｓ２０３）、システム制御回路５０は、撮影画面内の複数の測距点の中から合焦した測距点を決定し、決定した測距点データと共に測距データ及び或いは設定パラメータをシステム制御回路５０の内部メモリ或いはメモリ５２に記憶しＳ２０５に進む。
【０１０９】
続いて、システム制御回路５０は、測光手段４６を用いて、AE（自動露出）処理を開始する（Ｓ２０５）。
【０１１０】
システム制御回路５０は、レンズ３１０に入射した光線を、絞り３１２、レンズマウント３０６及び１０６、ミラー１３０及び１３２そして不図示の測光用レンズを介して、測光手段４６に入射させることにより、光学像として結像された画像の露出状態を測定し、露出（AE）が適正と判断されるまで（Ｓ２０６）、露光制御手段４０を用いて測光処理を行う（Ｓ２０６）。
【０１１１】
露出（AE）が適正と判断したならば（S２０７）、システム制御回路５０は、測光データ及び或いは設定パラメータをシステム制御回路５０の内部メモリ或いはメモリ５２に記憶し、Ｓ２０８に進む。
【０１１２】
なお、測光処理Ｓ２０６で検出した露出（AE）結果と、モードダイアル６０によって設定された撮影モードに応じて、システム制御回路５０は、絞り値（Av値）、シャッター速度（Tv値）が決定する。
【０１１３】
そして、ここで決定したシャッター速度（Tv値）に応じて、システム制御回路５０は、撮像素子１４の電荷蓄積時間を決定し、等しい電荷蓄積時間で撮影処理及びダーク取り込み処理をそれぞれ行う。
【０１１４】
測光処理Ｓ２０６で得られた測定データにより、システム制御回路５０はフラッシュが必要か否かを判断し（Ｓ２０８）、フラッシュが必要ならばフラッシュフラグをセットし、フラッシュ４８の充電が完了するまで（Ｓ２１０）、フラッシュ４８を充電する（Ｓ２０９）。
【０１１５】
フラッシュ４８の充電が完了したならば（Ｓ２１０）、測距・測光処理ルーチンS１２２を終了する。
【０１１６】
図４は、図２のＳ１２７における撮影処理の詳細なフローチャートを示す。
【０１１７】
なお、撮影処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１１８】
システム制御回路５０は、ミラー１３０を不図示のミラー駆動手段によってミラーアップ位置に移動すると共に（Ｓ３０１）、システム制御回路５０の内部メモリ或いはメモリ５２に記憶される測光データに従い、絞り制御手段３４０によって絞り３１２を所定の絞り値まで駆動する（Ｓ３０２）。
【０１１９】
システム制御回路５０は、撮像素子１４の電荷クリア動作を行った後に（Ｓ３０３）、撮像素子１４の電荷蓄積を開始した後（Ｓ３０４）、シャッター制御手段４０によって、シャッター１２を開き（Ｓ３０５）、撮像素子１４の露光を開始する（Ｓ３０６）。
【０１２０】
ここで、フラッシュ・フラグによりフラッシュ４８が必要か否かを判断し（Ｓ３０７）、必要な場合はフラッシュを発光させる（Ｓ３０８）。
【０１２１】
システム制御回路５０は、測光データに従って撮像素子１４の露光終了を待ち（Ｓ３０９）、シャッター制御手段４０によって、シャッター１２を閉じ（Ｓ３１０）、撮像素子１４の露光を終了する。
【０１２２】
システム制御回路５０は、絞り制御手段３４０によって絞り３１２を開放の絞り値まで駆動すると共に（Ｓ３１１）、ミラー１３０を不図示のミラー駆動手段によってミラーダウン位置に移動する（Ｓ３１２）。
【０１２３】
設定した電荷蓄積時間が経過したならば（Ｓ３１３）、システム制御回路５０は、撮像素子１４の電荷蓄積を終了した後（Ｓ３１４）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む（Ｓ３１５）。
【０１２４】
一連の処理を終えたならば、撮影処理ルーチンＳ１２７を終了する。
【０１２５】
図２中のS106  SW入力処理、設定、表示の具体例を図９に基づいて説明する
図９において
S501にてカメラの姿勢検出センサからの情報にてカメラの姿勢状態である縦、横を判別する。このセンサブロックは図２中の５００にて示される
S50にてカメラに操作された種種のSW状態を入力する。S503にてこの時先ほど、入手したSW種類を判別する。具体的には、シャッタSW1や、AEロックSWであるかいなかを判別する
SW1やAEロックSWが押された判別したならば、S504へいく
MENU釦（図５中、５）や、再生釦（図5中、３）が押された判断されたならば、表示系のSWがおされたと判断し、Ｓ５１０へいく。
【０１２６】
撮影系のSWが押されたならば、S504にて。S502にて入手した横位置がいなかを判断し、横位置ならば、S507へいき、タッチパネル操作受付範囲をAに設定する。このAの範囲は、図6-Aにて表現されるように、タッチパネルの上部のみ入力操作を受け付けるようにする。
【０１２７】
S504にて縦位置と判断されたならば、Ｓ５０５にて。グリップが装着されているかどうかの判断をする。このグリップとは、図５中の２で示される。カメラに装着できる縦位置グリップのことをいう。この縦位置グリップが装着されているときは、S505にて装着ありと判断される。S504で縦位置撮影、かつ、ｓ５０５にて装着ありならば、撮影者はこの縦位置グリップを握りながら撮影しようとしている。このときは、Ｓ５０６にてタッチパネル受付範囲をBに設定する。このBの範囲は、図6-Bに見られるように、タッチパネルの下部の領域のみを操作受付範囲としている
S504にて縦位置撮影にも関わらず、縦位置グリップがS505にて存在しないときは、撮影者は、横位置撮影時と同様なカメラグリップの握りをしていることになる。ゆえに、S507にて、横位置撮影を同じ、受け付け範囲をなるようにする
S508にて制限された操作受付範囲にて、撮影者の指操作の入力処理を行う
これは、AやＢ領域を限定された範囲のを検出領域として、図７や、図８に見られる操作を受け付け、判断を行い、Ｓ５０９にて撮影条件の設定、露出補正、測距点の選択を行う
Ｓ503にて表示系のSW（MENU  SW、PLAYSW）と判断されたならば、S510にてタッチパネルの入力範囲をCに設定する。
【０１２８】
Ｓ５１１にて指操作入力処理を行う。これはS508と同様な処理である
S512にて、その操作入力情報にて、MENU画面等において設定を行う。例えば、ホワイトバランス設定モードにおいて図８のごとく操作が行われたならば、その回転方向と移動量を基準に、色温度の数値設定の増減を行う
S512、S509の処理後本サブルーチンは終了し、図２のメインルーチンへ戻る
第二の実施例として、図１０を用いて説明する
第二の実施例では、図９のＳ５０３の代わりに、Ｓ５１３をいれたものである。
【０１２９】
Ｓ５１３にて、撮影者が、ファインダを覗いたかいなかの判定を行う。これは、図１中の１５０の接眼検知のブロックより、出力される情報にもとづく。例えば、これは、カメラから赤外光が投光され、それが、顔のカメラに対する近づき状態によって反射光量が変化することを受光センサで検出するものである。接眼されると反射光量が増え、逆に、遠ざかると、反射光量が減少する。これによって接眼の有無を判定する。
【０１３０】
S513にて撮影者が接眼状態と判定されると、撮影者は、撮影しようとしていると判断し、以降タッチパネルに行われる操作は、撮影条件の設定のための操作であると判断し、s504へいく。S5０４にて横位置がいなかいなかの判定へいく以降は実施例１と同じである。
【０１３１】
また、Ｓ５１３にて接眼検出無しと判定されたならば、撮影はは、撮影する意思がないときの操作と考えられるので。S510の受けつけ領域Ｃ設定とする
以降は第一の実施例と同じであるので省略する。
【０１３２】
なお、実施例の説明に於いては、ミラー１３０をミラーアップ位置、ミラーダウン位置に移動して撮影動作を行うとして説明したが、ミラー１３０をハーフミラーの構成として、移動せずに撮影動作を行う様にしても問題ない。
【０１３３】
なお、記録媒体２００は、PCMCIAカード等のメモリカード、ハードディスク等だけでなく、マイクロDAT、光磁気ディスク、CD-RやCD-WR等の光ディスク、DVD等の相変化型光ディスク等で構成されていても勿論問題無い。
【０１３４】
また、記録媒体２００がメモリカードとハードディスク等が一体となった複合媒体であっても勿論問題無い。さらに、その複合媒体から一部が着脱可能な構成としても勿論問題無い。
【０１３５】
そして、実施例の説明に於いては、記録媒体２００はカメラ１００と分離していて任意に接続可能なものとして説明したが、全ての記録媒体がカメラ１００に固定したままとなっていても勿論問題無い。
【０１３６】
また、カメラ１００に記録媒体２００が、単数或いは複数の任意の個数接続可能な構成であっても構わない。
【図面の簡単な説明】
【０１３７】
【図１】本発明の一実施例の構成ブロック図である。
【図２】本実施例の主ルーチンのフローチャートの一部である。
【図３】本実施例の測距・測光処理ルーチンのフローチャートである。
【図４】本実施例の撮影処理ルーチンのフローチャートである。
【図５】本実施例のカメラの背面図である。
【図６】本実施例のタッチパネルに対する操作受付領域を示す図である。
【図７】本実施例のタッチパネルに対する指操作の１例である。
【図８】本実施例のタッチパネルに対する指操作のその他の例である。
【図９】本第一の実施例のSW入力、設定、表示ルーチンのフローチャートである。
【図１０】本第ニの実施例のSW入力、設定、表示ルーチンのフローチャートである。
【符号の説明】
【０１３８】
１２  シャッター
１４  撮像素子
１６  Ａ／Ｄ変換器
２０  画像処理回路
２２  メモリ制御回路
２４  画像表示部
３０  メモリ
３２  画像圧縮・伸長回路
４０  シャッター制御手段
４２  測距手段
４６  測光手段
４８  フラッシュ 
５０  システム制御回路
５２  メモリ
５４  表示部
５６  不揮発性メモリ
６０  モードダイアルスイッチ
６２  シャッタースイッチSW1
６４  シャッタースイッチSW2
６６  再生スイッチ
７０  タッチパネル
７２  電源スイッチ
８０  電源制御手段
８２  コネクタ
８４  コネクタ
８６  電源手段
９０  インタフェース
９２  コネクタ手段
１００  カメラ
１０４  光学ファインダ
１０６  レンズマウント
１１０  通信手段
１１２  コネクタ（またはアンテナ）
１２０  インタフェース
１２２  コネクタ
１３０  ミラー
１３２  ミラー
５００  姿勢検出センサ
１５０  接眼検知手段
２００  記録媒体
２０２  記録部
２０４  インタフェース
２０６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
【図１】
2009086601.tif 000003
【図２】
2009086601.tif 000004
【図３】
2009086601.tif 000005
【図４】
2009086601.tif 000006
【図５】
2009086601.tif 000007
【図６】
2009086601.tif 000008
【図７】
2009086601.tif 000009
【図８】
2009086601.tif 000010
【図９】
2009086601.tif 000011
【図１０】
2009086601.tif 000012